(57)【要約】      （修正有）【課題】全ズーム範囲にわたり高い光学性能を有しつつ、全系が小型で軽量なズームレンズを提供する。【解決手段】物体側から像側へ順に、正の屈折力を有する第１レンズ群Ｌ１、負の屈折力を有する第２レンズ群Ｌ２、および、全体として正の屈折力を有する後続群ＬＲからなり、ズーミングに際して隣り合うレンズ群の間隔が変化するズームレンズであって、第１レンズ群は１枚のレンズからなり、後続群は最も像側に配置された正の屈折力を有するレンズ群ＬＰを有し、広角端から望遠端へのズーミングに際して、第２レンズ群が物体側へ移動し、レンズ群ＬＰに含まれる正レンズのうち最も屈折力の強いレンズの材料のアッベ数をνｄＬＰ、望遠端における全系の焦点距離をｆｔ、レンズ群ＬＰの焦点距離をｆＬＰとするとき、１５．０＜νｄＬＰ＜３０．０、０．５０＜ｆＬＰ／ｆｔ＜２．００なる条件式を満足する。【選択図】図１
2020170102.tif 000002
【特許請求の範囲】
【請求項１】
物体側から像側へ順に、正の屈折力を有する第１レンズ群、負の屈折力を有する第２レンズ群、および、全体として正の屈折力を有する後続群からなり、ズーミングに際して隣り合うレンズ群の間隔が変化するズームレンズであって、
前記第１レンズ群は１枚のレンズからなり、
前記後続群は最も像側に配置された正の屈折力を有するレンズ群ＬＰを有し、
広角端から望遠端へのズーミングに際して、前記第２レンズ群は物体側へ移動し、
前記レンズ群ＬＰに含まれる正レンズのうち最も屈折力の強いレンズの材料のアッベ数をνｄＬＰ、望遠端における全系の焦点距離をｆｔ、前記レンズ群ＬＰの焦点距離をｆＬＰ、とするとき、
１５．０＜νｄＬＰ＜３０．０
０．５０＜ｆＬＰ／ｆｔ＜２．００
なる条件式を満足することを特徴とするズームレンズ。
【請求項２】
前記後続群は、ズーミングに際して間隔が変化する２以上のレンズ群を有することを特徴とする請求項１に記載のズームレンズ。
【請求項３】
広角端から望遠端へのズーミングに際して、全てのレンズ群は物体側へ移動することを特徴とする請求項１または２に記載のズームレンズ。
【請求項４】
前記後続群は、前記レンズ群ＬＰの物体側に隣接するレンズ群ＬＦを有し、
広角端から望遠端へのズーミングに際して、前記レンズ群ＬＦと前記レンズ群ＬＰとの間隔が大きくなることを特徴とする請求項１乃至３のいずれか１項に記載のズームレンズ。
【請求項５】
前記第１レンズ群の焦点距離をｆ１とするとき、
０．８０＜ｆ１／ｆｔ＜２．００
なる条件式を満足することを特徴とする請求項１乃至４のいずれか１項に記載のズームレンズ。
【請求項６】
前記第２レンズ群の焦点距離をｆ２、広角端における全系の焦点距離をｆｗとするとき、
−１．１０＜ｆ２／ｆｗ＜−０．５０
なる条件式を満足することを特徴とする請求項１乃至５のいずれか１項に記載のズームレンズ。
【請求項７】
広角端におけるレンズ全長をＴＤｗ、広角端における全系の焦点距離をｆｗとするとき、
３．５０＜ＴＤｗ／ｆｗ＜５．００
なる条件式を満足することを特徴とする請求項１乃至６のいずれか１項に記載のズームレンズ。
【請求項８】
広角端におけるバックフォーカスをｓｋｗとするとき、
０．３＜ｓｋｗ／ｆｗ＜１．０
なる条件式を満足することを特徴とする請求項１乃至７のいずれか１項に記載のズームレンズ。
【請求項９】
前記後続群は、前記レンズ群ＬＰの物体側に隣接するレンズ群ＬＦを有し、
広角端における前記レンズ群ＬＦと前記レンズ群ＬＰの間隔をｄｗ、望遠端における前記レンズ群ＬＦと前記レンズ群ＬＰの間隔をｄｔとするとき、
０．０５＜（ｄｔ−ｄｗ）／ｆｔ＜０．４０
なる条件式を満足することを特徴とする請求項１乃至８のいずれか１項に記載のズームレンズ。
【請求項１０】
前記レンズ群ＬＰの広角端から望遠端までのズーミングに際しての移動量をｍＬＰとするとき、
−０．３０＜ｍＬＰ／ｆｔ＜-０．０５
なる条件式を満足することを特徴とする請求項１乃至９のいずれか１項に記載のズームレンズ。
【請求項１１】
前記第２レンズ群の広角端から望遠端までのズーミングに際しての移動量をｍＬ２とするとき、
−０．４０＜ｍＬ２／ｆｔ＜-０．０５
なる条件式を満足することを特徴とする請求項１乃至１０のいずれか１項に記載のズームレンズ。
【請求項１２】
前記第１レンズ群の広角端から望遠端までのズーミングに際しての移動量をｍＬ１、前記後続群に含まれるレンズ群のうち前記第２レンズ群の像側に隣接して配置された第３レンズ群の広角端から望遠端までのズーミングに際しての移動量をｍＬ３とするとき、
１．００＜ｍＬ１／ｍＬ３＜２．００
なる条件式を満足することを特徴とする請求項１乃至１１のいずれか１項に記載のズームレンズ。
【請求項１３】
請求項１乃至１３のいずれか１項に記載のズームレンズと、
前記ズームレンズにより形成された像を受光する撮像素子と、を有することを特徴とする請求項１乃至１２のいずれか１項に記載の撮像装置。
【発明の詳細な説明】
【技術分野】
【０００１】
本発明は、ズームレンズ及びそれを有する撮像装置に関し、例えばビデオカメラ、電子スチルカメラ、放送用カメラ、監視カメラ等のように撮像素子を用いた撮像装置に好適なものである。
【背景技術】
【０００２】
特許文献１には、正、負、正、負、正の５群ズームレンズが開示されている。特許文献１に開示されているズームレンズは、ズーミング中の可動レンズ群の数を増やして収差補正の自由度を高くすることにより、ズーム全域において高い結像性能を実現している。また、第１レンズ群を１枚または２枚のレンズで構成することで、ズームレンズの軽量化を実現している。特許文献２には、正、負、正、正、正、正の６群ズームレンズが開示されている。特許文献２に開示されているズームレンズは、第１レンズ群を１枚のレンズで構成しており、ズームレンズの軽量化を実現している。
【先行技術文献】
【特許文献】
【０００３】
【特許文献１】特開２０１７−１５６４２８号公報
【特許文献２】特開２０１６−４５４９１号公報
【発明の概要】
【発明が解決しようとする課題】
【０００４】
しかしながら、特許文献１、２に開示されているズームレンズでは、センササイズ（像高）に対する広角端の光学全長が長い。このため、ズームレンズの光学全長方向の小型化を十分に図ることができない。 
【０００５】
そこで本発明は、全ズーム範囲にわたり高い光学性能を有しつつ、全系が小型で軽量なズームレンズ及びそれを有する撮像装置を提供することを目的とする。
【課題を解決するための手段】
【０００６】
本発明の一側面としてのズームレンズは、物体側から像側へ順に、正の屈折力を有する第１レンズ群、負の屈折力を有する第２レンズ群、および、全体として正の屈折力を有する後続群からなり、ズーミングに際して隣り合うレンズ群の間隔が変化するズームレンズであって、前記第１レンズ群は１枚のレンズからなり、前記後続群は最も像側に配置された正の屈折力を有するレンズ群ＬＰを有し、広角端から望遠端へのズーミングに際して、前記第２レンズ群は物体側へ移動し、前記レンズ群ＬＰに含まれる正レンズのうち最も屈折力の強いレンズの材料のアッベ数をνｄＬＰ、望遠端における全系の焦点距離をｆｔ、前記レンズ群ＬＰの焦点距離をｆＬＰとするとき、
１５．０＜νｄＬＰ＜３０．０
０．５０＜ｆＬＰ／ｆｔ＜２．００
なる条件式を満足する。
【０００７】
本発明の他の側面としての撮像装置は、前記ズームレンズと、前記ズームレンズにより形成された像を受光する撮像素子とを有する
本発明の他の目的及び特徴は、以下の実施例において説明される。
【発明の効果】
【０００８】
本発明によれば、全ズーム範囲にわたり高い光学性能を有しつつ、全系が小型で軽量なズームレンズ及びそれを有する撮像装置を提供することができる。
【図面の簡単な説明】
【０００９】
【図１】実施例１のズームレンズの広角端において無限遠物体に合焦したときのレンズ断面図である。
【図２】実施例１のズームレンズの広角端において無限遠物体に合焦させたときの縦収差図である。
【図３】実施例１のズームレンズの望遠端において無限遠物体に合焦させたときの縦収差図である。
【図４】実施例２のズームレンズの広角端において無限遠物体に合焦したときのレンズ断面図である。
【図５】実施例２のズームレンズの広角端において無限遠物体に合焦させたときの縦収差図である。
【図６】実施例２のズームレンズの望遠端において無限遠物体に合焦させたときの縦収差図である。
【図７】実施例３のズームレンズの広角端において無限遠物体に合焦したときのレンズ断面図である。
【図８】実施例３のズームレンズの広角端において無限遠物体に合焦させたときの縦収差図である。
【図９】実施例３のズームレンズの望遠端において無限遠物体に合焦させたときの縦収差図である。
【図１０】実施例４のズームレンズの広角端において無限遠物体に合焦したときのレンズ断面図である。
【図１１】実施例４のズームレンズの広角端において無限遠物体に合焦させたときの縦収差図である。
【図１２】実施例４のズームレンズの望遠端において無限遠物体に合焦させたときの縦収差図である。
【図１３】実施例５のズームレンズの広角端において無限遠物体に合焦したときのレンズ断面図である。
【図１４】実施例５のズームレンズの広角端において無限遠物体に合焦させたときの縦収差図である。
【図１５】実施例５のズームレンズの望遠端において無限遠物体に合焦させたときの縦収差図である。
【図１６】各実施例のズームレンズを備えた撮像装置の概略図である。
【発明を実施するための形態】
【００１０】
以下、本発明の実施例について、図面を参照しながら詳細に説明する。
【００１１】
本発明のズームレンズとして、実施例１〜５のそれぞれのズームレンズ１ａ〜１ｅについて具体的に説明する。
【００１２】
図１は、本発明の実施例１のズームレンズ１ａの広角端（短焦点距離端）において無限遠物体に合焦したときのレンズ断面図である。図２は、ズームレンズ１ａの広角端において無限遠物体に合焦させたときの縦収差図である。図３は、ズームレンズ１ａの望遠端（長焦点距離端）において無限遠物体に合焦させたときの縦収差図である。
【００１３】
図４は、本発明の実施例２のズームレンズ１ｂの広角端において無限遠物体に合焦したときのレンズ断面図である。図５は、ズームレンズ１ｂの広角端において無限遠物体に合焦させたときの縦収差図である。図６は、ズームレンズ１ｂの望遠端において無限遠物体に合焦させたときの縦収差図である。
【００１４】
図７は、本発明の実施例３のズームレンズ１ｃの広角端において無限遠物体に合焦したときのレンズ断面図である。図８は、ズームレンズ１ｃの広角端において無限遠物体に合焦させたときの縦収差図である。図９は、ズームレンズ１ｃの望遠端において無限遠物体に合焦させたときの縦収差図である。
【００１５】
図１０は、本発明の実施例４のズームレンズ１ｄの広角端において無限遠物体に合焦したときのレンズ断面図である。図１１は、ズームレンズ１ｄの広角端において無限遠物体に合焦させたときの縦収差図である。図１２は、ズームレンズ１ｄの望遠端において無限遠物体に合焦させたときの縦収差図である。
【００１６】
図１３は、本発明の実施例５のズームレンズ１ｅの広角端において無限遠物体に合焦したときのレンズ断面図である。図１４は、ズームレンズ１ｅの広角端において無限遠物体に合焦させたときの縦収差図である。図１５は、ズームレンズ１ｅの望遠端において無限遠物体に合焦させたときの縦収差図である。
【００１７】
各実施例のズームレンズは、ビデオカメラ、デジタルカメラ、または、銀塩フィルムカメラ等の撮像装置に用いられる撮影レンズ系（光学系）である。図１、図４、図７、図１０、図１３のレンズ断面図において、左側が物体側（前方）、右側が像側（後方）である。
【００１８】
図１のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群、Ｌ６は正の屈折力の第６レンズ群である。第３レンズ群Ｌ３、第４レンズ群Ｌ４、第５レンズ群Ｌ５（レンズ群ＬＦ）、および、第６レンズ群Ｌ６（レンズ群ＬＰ）により、後続群ＬＲが構成される。レンズ群ＬＦは、レンズ群ＬＰの物体側に隣接して配置されている。第３レンズ群Ｌ３は、後続群ＬＲに含まれるレンズ群のうち第２レンズ群Ｌ２の像側に隣接して配置されている。
【００１９】
図４のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。また、Ｌ６は負の屈折力の第６レンズ群、Ｌ７は正の屈折力の第７レンズ群である。第３レンズ群Ｌ３、第４レンズ群Ｌ４、第５レンズ群Ｌ５、第６レンズ群Ｌ６（レンズ群ＬＦ）、および、第７レンズ群Ｌ７（レンズ群ＬＰ）により、後続群ＬＲが構成される。レンズ群ＬＦは、レンズ群ＬＰの物体側に隣接して配置されている。第３レンズ群Ｌ３は、後続群ＬＲに含まれるレンズ群のうち第２レンズ群Ｌ２の像側に隣接して配置されている。
【００２０】
図７のレンズ断面図においてＬ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は負の屈折力の第５レンズ群、Ｌ６は正の屈折力の第６レンズ群である。第３レンズ群Ｌ３、第４レンズ群Ｌ４、第５レンズ群Ｌ５（レンズ群ＬＦ）、および、第６レンズ群Ｌ６（レンズ群ＬＰ）により、後続群ＬＲが構成される。レンズ群ＬＦは、レンズ群ＬＰの物体側に隣接して配置されている。第３レンズ群Ｌ３は、後続群ＬＲに含まれるレンズ群のうち第２レンズ群Ｌ２の像側に隣接して配置されている。
【００２１】
図１０のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群である。第３レンズ群Ｌ３（レンズ群ＬＦ）および第４レンズ群Ｌ４（レンズ群ＬＰ）により、後続群ＬＲが構成される。レンズ群ＬＦは、レンズ群ＬＰの物体側に隣接して配置されている。第３レンズ群Ｌ３は、後続群ＬＲに含まれるレンズ群のうち第２レンズ群Ｌ２の像側に隣接して配置されている。
【００２２】
図１３のレンズ断面図においてＬ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。また、Ｌ６は負の屈折力の第６レンズ群、Ｌ７は正の屈折力の第７レンズ群である。第３レンズ群Ｌ３、第４レンズ群Ｌ４、第５レンズ群Ｌ５、第６レンズ群Ｌ６（レンズ群ＬＦ）、および、第７レンズ群Ｌ７（レンズ群ＬＰ）により、後続群ＬＲが構成される。レンズ群ＬＦは、レンズ群ＬＰの物体側に隣接して配置されている。第３レンズ群Ｌ３は、後続群ＬＲに含まれるレンズ群のうち第２レンズ群Ｌ２の像側に隣接して配置されている。
【００２３】
ここで、屈折力とは光学的パワーのことであり、焦点距離の逆数である。図４および図７において、ＩＳは、ズームレンズの光軸ＯＡと垂直方向の成分を持つ方向に移動して、光軸ＯＡと垂直方向に投影画像を移動させてズームレンズ全体が振動したときの像ぶれを補正する防振用のレンズ群である。実施例２では、図４中の第４レンズ群Ｌ４の全体を光軸ＯＡと垂直方向の成分を持つ方向に移動して、像ぶれを補正する（即ち防振を行う）。実施例３では、図７中の第３レンズ群Ｌ３を構成する一部のレンズユニットを光軸ＯＡと垂直方向の成分を持つ方向に移動して、像ぶれを補正する。
【００２４】
図１、図４、図７、図１０、および、図１３において、ＳＰは開口絞りであり、第３レンズ群Ｌ３に配置されている。ＩＰは像面であり、ビデオカメラやデジタルスチルカメラの撮影光学系として使用する際にはＣＣＤセンサやＣＭＯＳセンサなどの撮像素子（光電変換素子）の撮像面に、銀塩フィルム用カメラのときはフィルム面に相当する感光面が置かれる。
【００２５】
図２、図３、図５、図６、図８、図９、図１１、図１２、図１４、および、図１５の収差図において、ｄ、ｇは順にｄ線、ｇ線である。ΔＭ、ΔＳはそれぞれ、メリディオナル像面、サジタル像面である。倍率色収差は、ｇ線によって表している。ωは半画角、ＦｎｏはＦナンバー（Ｆ値）である。
【００２６】
各実施例のズームレンズは、物体側から像側へ順に、正の屈折力を有する第１レンズ群Ｌ１、負の屈折力を有する第２レンズ群Ｌ２、および、全体として正の屈折力を有する後続群ＬＲからなり、ズーミングに際して隣り合うレンズ群の間隔が変化する。第１レンズ群Ｌ１は、１枚のレンズからなる。後続群ＬＲは、最も像側に配置された正の屈折力を有するレンズ群ＬＰを有する。広角端から望遠端へのズーミングに際して、第２レンズ群Ｌ２は物体側へ移動する。好ましくは、後続群ＬＲは、ズーミングに際して間隔が変化する２以上のレンズ群を有する。各実施例において、広角端および望遠端は、各レンズ群が機構上光軸上を移動可能な範囲の両端に位置したときのズーム位置をいう。図１、図４、図７、図１０、および、図１３に示される矢印は、広角端から望遠端へのズーミングにおける各レンズ群の移動軌跡を示している。
【００２７】
図１に示されるように、実施例１では、広角端から望遠端へのズーミングに際して、第１レンズ群Ｌ１は矢印のように物体側へ移動する。第２レンズ群Ｌ２は、第１レンズ群Ｌ１との間隔を大きくしつつ物体側へ移動する。第３レンズ群Ｌ３は、第２レンズ群Ｌ２との間隔を小さくしつつ物体側へ移動する。第４レンズ群Ｌ４は、第３レンズ群Ｌ３との間隔を大きくしつつ物体側へ移動する。第５レンズ群Ｌ５は、第４レンズ群Ｌ４との間隔を小さくしつつ物体側へ移動する。第６レンズ群Ｌ６は、第５レンズ群Ｌ５との間隔を大きくしつつ物体側へ移動する。無限遠物体から近距離物体へのフォーカシングに際して、第４レンズ群Ｌ４は像側へ移動する。
【００２８】
図４に示されるように、実施例２では、広角端から望遠端へのズーミングに際して、第１レンズ群Ｌ１は矢印のように物体側へ移動する。第２レンズ群Ｌ２は、第１レンズ群Ｌ１との間隔を大きくしつつ物体側へ移動する。第３レンズ群Ｌ３は、第２レンズ群Ｌ２との間隔を小さくしつつ物体側へ移動する。第４レンズ群Ｌ４は、第３レンズ群Ｌ３との間隔を小さくしつつ物体側へ移動する。第５レンズ群Ｌ５は、第４レンズ群Ｌ４との間隔を大きくしつつ物体側へ移動する。第６レンズ群Ｌ６は、第５レンズ群Ｌ５との間隔を小さくしつつ物体側へ移動する。第７レンズ群Ｌ７は、第５レンズ群Ｌ５との間隔を大きくしつつ物体側へ移動する。無限遠物体から近距離物体へのフォーカシングに際して、第５レンズ群Ｌ５は像側へ移動する。
【００２９】
図７に示されるように、実施例３では、広角端から望遠端へのズーミングに際して、第１レンズ群Ｌ１は矢印のように物体側へ移動する。第２レンズ群Ｌ２は、第１レンズ群Ｌ１との間隔を大きくしつつ物体側へ移動する。第３レンズ群Ｌ３は、第２レンズ群Ｌ２との間隔を小さくしつつ物体側へ移動する。第４レンズ群Ｌ４は、第３レンズ群Ｌ３との間隔を大きくしつつ物体側へ移動する。第５レンズ群Ｌ５は、第４レンズ群Ｌ４との間隔を小さくしつつ物体側へ移動する。第６レンズ群Ｌ６は、第５レンズ群Ｌ５との間隔を大きくしつつ物体側へ移動する。無限遠物体から近距離物体へのフォーカシングに際して、第４レンズ群Ｌ４は像側へ移動する。
【００３０】
図１０に示されるように、実施例４では、広角端から望遠端へのズーミングに際して、第１レンズ群Ｌ１は、矢印のように物体側へ移動する。第２レンズ群Ｌ２は、第１レンズ群Ｌ１との間隔を大きくしつつ物体側へ移動する。第３レンズ群Ｌ３は、第２レンズ群Ｌ２との間隔を小さくしつつ物体側へ移動する。第４レンズ群Ｌ４は、第３レンズ群Ｌ３との間隔を大きくしつつ物体側へ移動する。無限遠物体から近距離物体へのフォーカシングに際して、第３レンズ群Ｌ３の一部は物体側へ移動する。
【００３１】
図１３に示されるように、実施例５では、広角端から望遠端へのズーミングに際して、第１レンズ群Ｌ１は、矢印のように物体側へ移動する。第２レンズ群Ｌ２は、第１レンズ群Ｌ１との間隔を大きくしつつ物体側へ移動する。第３レンズ群Ｌ３は、第２レンズ群Ｌ２との間隔を小さくしつつ物体側へ移動する。第４レンズ群Ｌ４は、第３レンズ群Ｌ３との間隔を小さくしつつ物体側へ移動する。第５レンズ群Ｌ５は、第４レンズ群Ｌ４との間隔を大きくしつつ物体側へ移動する。第６レンズ群Ｌ６は、第５レンズ群Ｌ５との間隔を小さくしつつ物体側へ移動する。第７レンズ群Ｌ７は、第５レンズ群Ｌ５との間隔を大きくしつつ物体側へ移動する。無限遠物体から近距離物体へのフォーカシングに際して、第５レンズ群Ｌ５は像側へ移動する。
【００３２】
なお各実施例において、フォーカシングは、ズームレンズの全体または任意の１つのレンズ群を移動させて行っても良い。
【００３３】
ポジティブリードタイプのズームレンズにおいては、高ズーム比とレンズ系全系の小型化を図りつつ、物体距離全般にわたり良好な光学性能を得ることが重要な課題となっている。この課題を解決するには、各レンズ群の屈折力やレンズ構成、および、各レンズ群のズーミングに伴う移動条件を適切に設定することが重要となる。これらの構成を適切に設定しないと、小型軽量化を図りつつ、全ズーム範囲にわたり高い光学性能を有したズームレンズを得るのが困難である。
【００３４】
一般にレンズ群を小型軽量化するには、レンズ外径（レンズ有効径）が大きくなる群のレンズ枚数を少なくする必要がある。ポジティブリードタイプのズームレンズの場合、最もレンズ外径が大きくなる第１レンズ群Ｌ１を最小枚数で構成すれば良い。但し、第１レンズ群Ｌ１を最小枚数である１枚で構成すると、特に望遠端での倍率色収差の補正が困難となる。そこで各実施例では、第１レンズ群Ｌ１を最小枚数である１枚で構成すると共に、後続群ＬＲの最も像側に正の屈折力を有するレンズ群ＬＰを有し、レンズ群ＬＰを構成する正レンズに高分散材料を使用している。これにより、第１レンズ群Ｌ１で発生する望遠端での倍率色収差を打ち消し、ズーム全域で良好な色収差補正を実現している。
【００３５】
また、ズーミングに際して、第２レンズ群Ｌ２が物体側へ移動している。これにより広角端での光学全長（最も物体側のレンズ面である第１面から像面ＩＰまでの距離）の短縮が容易となるため、第１レンズ群Ｌ１のレンズ外径を小型化することができる。その結果、レンズ全系の小型軽量化が可能となる。
【００３６】
各実施例において、レンズ群ＬＰに含まれる正レンズ中で最も屈折力の強いレンズの材料のアッベ数をνｄＬＰ、望遠端における全系の焦点距離をｆｔ、レンズ群ＬＰの焦点距離をｆＬＰとするとき、以下の条件式（１）、（２）を満足する。
【００３７】
１５．０＜νｄＬＰ＜３０．０                      ・・・（１）
０．５０＜ｆＬＰ／ｆｔ＜２．００                  ・・・（２）
次に、前述の各条件式の技術的意味について説明する。条件式（１）は、レンズ群ＬＰに含まれる正レンズ中で最も屈折力の強いレンズの材料のアッベ数をνｄＬＰを規定するものである。前述のように、ポジティブリードのズームレンズの小型軽量化には、最も径の大きくなる第１レンズ群Ｌ１を１枚で構成することが重要である。さらに、ズーム全域での高性能化を達成するため、第１レンズ群Ｌ１を１枚化したことにより発生する望遠端での倍率色収差を補正する必要がある。各実施例では、最も像側の正レンズ群Ｌｐに含まれる正レンズの分散を高分散とすることで正レンズ１枚で構成された第１レンズ群Ｌ１で発生する倍率色収差を打ち消し、レンズ全系の小型化と高性能化を両立している。
【００３８】
条件式（１）を満足することで、望遠端での倍率色収差の補正が容易となり、レンズ全系の小型化を高性能化の両立が可能となる。条件式（１）の上限を超え、レンズ群ＬＰに含まれる正レンズ中で最も屈折力の強いレンズの材料のアッベ数が大きくなりすぎると、正レンズ１枚からなる第１レンズ群Ｌ１で発生する倍率色収差を打ち消すことができず、望遠端での倍率色収差の補正が困難となる。一方、条件式（１）の下限を超えて、レンズ群ＬＰに含まれる正レンズ中で最も屈折力の強いレンズのアッベ数が大きくなりすぎると、望遠端での倍率色収差の補正は容易となるが、ズーム全域での軸上色収差の補正が困難となる。また、製造時におけるレンズの偏芯による色収差の発生量が大きくなり、好ましくない。
【００３９】
条件式（２）は、レンズ群ＬＰの焦点距離を適切に設定するものである。条件式（２）の上限を超えてレンズ群ＬＰの焦点距離が大きくなりすぎると、正レンズ１枚で構成された第１レンズ群Ｌ１で発生する倍率色収差を打ち消すことができず、望遠端での倍率色収差の補正が困難となる。また、広角端において、射出瞳が短くなりすぎ、広角端でのテレセントリック性の確保が困難となる。一方、条件式（２）の下限を越えてレンズ群ＬＰの焦点距離が大きくなりすぎると、広角端において像面湾曲、歪曲収差の補正が困難となる。また、広角端と望遠端での射出瞳位置の変化量が大きくなりすぎ、ズーム全域でのテレセントリック性の確保が困難となる。
【００４０】
好ましくは、条件式（１）、（２）の数値範囲を以下の条件式（１ａ）、（２ａ）のようにそれぞれ設定する。
【００４１】
１７．０＜νｄＬＰ＜２５．０                ・・・（１ａ）
０．６０＜ｆＬＰ／ｆｔ＜１．５０            ・・・（２ａ）
より好ましくは、条件式（１ａ）、（２ａ）の数値範囲を以下の条件式（１ｂ）、（２ｂ）のようにそれぞれ設定する。
【００４２】
２０．０＜νｄＬＰ＜２５．０                ・・・（１ｂ）
０．６０＜ｆＬＰ／ｆｔ＜１．３０            ・・・（２ｂ）
各実施例において、広角端での全系の焦点距離をｆｗとする。第１レンズ群Ｌ１の焦点距離をｆ１とする。第２レンズ群Ｌ２の焦点距離をｆ２とする。広角端での光学全長をＴＤｗとする。広角端でのバックフォーカスをｓｋｗとする。広角端でのレンズ群ＬＦとレンズ群ＬＰとの間隔をｄｗとする。望遠端でのレンズ群ＬＦとレンズ群ＬＰとの間隔をｄｔとする。広角端から望遠端までのズーミングに際してのレンズ群ＬＰの移動量をｍＬＰとする。広角端から望遠端までのズーミングに際しての第１レンズ群Ｌ１の移動量をｍＬ１とする。広角端から望遠端までの第２レンズ群Ｌ２のズーミングに際しての移動量をｍＬ２とする。広角端から望遠端までのズーミングに際しての第３レンズ群Ｌ３の移動量をｍＬ３とする。ここで、各レンズ群の移動量の符号は、物体側から像側への移動量を正、像側から物体側への移動量を負とする。このとき各実施例において、好ましくは、以下の条件式（３）〜（１０）の少なくとも一つを満足する。
【００４３】
０．８０＜ｆ１／ｆｔ＜２．００              ・・・（３）
−１．１０＜ｆ２／ｆｗ＜−０．５０          ・・・（４）
３．５０＜ＴＤｗ／ｆｗ＜５．００            ・・・（５）
０．３０＜ｓｋｗ／ｆｗ＜１．００            ・・・（６）
０．０５＜（ｄｔ−ｄｗ）／ｆｔ＜０．４０    ・・・（７）
−０．３０＜ｍＬＰ／ｆｔ＜−０．０５        ・・・（８）
−０．４０＜ｍＬ２／ｆｔ＜０．００          ・・・（９）
１．００＜ｍＬ１／ｍＬ３＜２．００          ・・・（１０）
次に、前述の条件式（３）〜（１０）のそれぞれの技術的意味について説明する。条件式（３）は、第１レンズ群Ｌ１の焦点距離を適切に設定するものである。条件式（３）の上限を超えて第１レンズ群Ｌ１の正の屈折力が弱くなりすぎると、変倍のために第１レンズ群Ｌ１の移動量を大きくしなければならず、この結果、望遠端においてレンズ全長が長くなるため、好ましくない。また、前玉有効径の小型化が難しくなる。一方、条件式（３）の下限を超えて第１レンズ群Ｌ１の正の屈折力が強くなりすぎると、高ズーム比化は容易となるが、望遠端において球面収差の補正が困難となる。
【００４４】
条件式（４）は、第２レンズ群Ｌ２の焦点距離を適切に設定するものである。条件式（４）を満足することで、広角端においてレトロフォーカスタイプの屈折力配置とすることが容易となり、広角端における広画角化と、全ズーム範囲にわたり諸収差の変動が少なく、画面全体にわたり高い光学性能を得ることが容易となる。条件式（４）の上限を超えて第２レンズ群Ｌ２の負の屈折力が強くなると（焦点距離の絶対値が小さくなると）、ズーミングに伴う球面収差、倍率色収差の変動を小さくするのが困難となる。条件式（４）の下限を超えて第２レンズ群Ｌ２の負の屈折力が弱くなると（焦点距離の絶対値が大きくなると）、レトロフォーカスタイプの屈折力配置とするのが難しくなり、広角端における撮像画角を広くすることが困難となる。
【００４５】
条件式（５）は、広角端での光学全長ＴＤｗと広角端の焦点距離との比を適切に設定するものである。条件式（５）の上限を超えて、広角端での光学全長が長くなりすぎると、第１レンズ群Ｌ１の径が大きくなり、小型軽量化が困難となる。一方、条件式（５）の下限を超えて広角端での光学全長ＴＤｗが長くなりすぎると、第１レンズ群Ｌ１および第２レンズ群Ｌ２の屈折力が強くなりすぎ、望遠端での球面収差、広角端での像面湾曲の補正が困難となる。
【００４６】
条件式（６）は、広角端での全系焦点距離と広角端でのバックフォーカスの比を規定するものである。条件式（６）の上限を超えて広角端でのバックフォーカスが長くなりすぎると、レンズ群ＬＰの屈折力が強くなりすぎ、広角端での像面湾曲の補正が困難となる。また、広角端でのレンズ全長の短縮が困難となる。一方、条件式（６）の下限を超えて広角端でのバックフォーカスが短くなりすぎると、望遠端で倍率色収差を補正するため、レンズ群ＬＰの移動量を大きくする必要があり、レンズ全長の小型化が困難となる。
【００４７】
条件式（７）は、レンズ群ＬＦとレンズ群ＬＰの広角端から望遠端までの間隔変化量を規定するものである。条件式（７）を満足することで、高倍率化と高性能化の両立が容易となる。条件式（７）の上限を超えて望遠端でのレンズ群ＬＦとＬＰの間隔が広くなりすぎると、高倍率化は容易となるが、望遠端でのレンズ群ＬＰの小径化が困難となる。一方、条件式（７）の下限を超えて望遠端でのレンズ群ＬＦとＬＰの間隔が狭くなりすぎると、十分な変倍作用を得ることができず、高倍率化が困難となる。
【００４８】
条件式（８）は、レンズ群ＬＰのズーミングに際しての移動量を適切に設定するものである。条件式（８）を満足することで、ズーム全域での倍率色収差の補正が容易となる。条件式（８）の上限を超え、レンズ群ＬＰのズーミングによる移動量が大きくなりすぎると、望遠端におけるレンズ全長の短縮が困難となる。一方、条件式（８）の下限を超え、レンズ群ＬＰのズーミングによる移動量が小さくなりすぎると、望遠端において、レンズ群ＬＰによる倍率色収差の補正効果が小さくなり、望遠端での倍率色収差を小さくすることが困難となる。
【００４９】
条件式（９）は、第２レンズ群Ｌ２のズーミングに際しての移動量を適切に設定するものである。条件式（９）を満足することで、広角端におけるレンズ全長の短縮が容易となる。条件式（９）の上限を超え、第２レンズ群Ｌ２のズーミングによる移動量が大きくなりすぎると、望遠端におけるレンズ全長の短縮が困難となる。一方、条件式（９）の下限を超え、第２レンズ群Ｌ２のズーミングによる移動量が小さくなりすぎると、ズーミングに伴う球面収差、倍率色収差の変動を小さくするのが困難となる。また、広角端におけるレンズ全長が長くなり、広角端において前玉有効径の小型化が困難となる。
【００５０】
条件式（１０）は、ズーミングに際しての第１レンズ群Ｌ１の移動量と第３レンズ群Ｌ３の移動量との比を適切に設定するものである。条件式（１０）の上限を超え、第１レンズ群Ｌ１の移動量が大きくなりすぎると、望遠端において周辺光量の確保のため、前玉有効径が大型化するため、好ましくない。一方、条件式（１０）の下限を超え、第３レンズ群Ｌ３の移動量が大きくなりすぎると、ズーミングに伴う球面収差、Ｆ値の変動を小さくすることが困難となる。また、広角端でのレンズ全長が長くなり、広角端における前玉有効径の小型化が困難となる。
【００５１】
各実施例において、より好ましくは、前述の条件式（３）〜（１０）の数値範囲を、以下の条件式（３ａ）〜（１０ａ）のようにそれぞれ設定する。
【００５２】
０．９０＜ｆ１／ｆｔ＜１．９０              ・・・（３ａ）
−１．００＜ｆ２／ｆｗ＜−０．６０          ・・・（４ａ）
４．００＜ＴＤｗ／ｆｗ＜４．８０            ・・・（５ａ）
０．４０＜ｓｋｗ／ｆｗ＜０．９０            ・・・（６ａ）
０．１０＜（ｄｔ−ｄｗ）／ｆｔ＜０．３５    ・・・（７ａ）
−０．２５＜ｍＬＰ／ｆｔ＜−０．１０        ・・・（８ａ）
−０．３５＜ｍＬ２／ｆｔ＜−０．０５        ・・・（９ａ）
１．１０＜ｍＬ１／ｍＬ３＜１．７０          ・・・（１０ａ）
各実施例において、更に好ましくは、前述の条件式（３ａ）〜（１０ａ）の数値範囲を、以下の条件式（３ｂ）〜（１０ｂ）のようにそれぞれ設定する。
【００５３】
０．９０＜ｆ１／ｆｔ＜１．８０              ・・・（３ｂ）
−０．９０＜ｆ２／ｆｗ＜−０．７０          ・・・（４ｂ）
４．１０＜ＴＤｗ／ｆｗ＜４．７０            ・・・（５ｂ）
０．５０＜ｓｋｗ／ｆｗ＜０．９０            ・・・（６ｂ）
０．１２＜（ｄｔ−ｄｗ）／ｆｔ＜０．３２    ・・・（７ｂ）
−０．２３＜ｍＬＰ／ｆｔ＜−０．１２        ・・・（８ｂ）
−０．３０＜ｍＬ２／ｆｔ＜−０．０８        ・・・（９ｂ）
１．２０＜ｍＬ１／ｍＬ３＜１．６０          ・・・（１０ｂ）
以上のように、各実施例によれば、全系が小型軽量で全ズーム範囲にわたり高性能なズームレンズが得られる。
【００５４】
以下、実施例１〜５にそれぞれ対応する数値実施例１〜５を示す。各数値実施例の面データにおいて、ｒは各光学面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のｄ線を基準としたアッベ数を表している。なお、ある材料のアッベ数νｄは、フラウンホーファ線のｄ線（５８７．６ｎｍ）、Ｆ線（４８６．１ｎｍ）、Ｃ線（６５６．３ｎｍ）における屈折率をＮｄ、ＮＦ、ＮＣとするとき、
νｄ＝（Ｎｄ−１）／（ＮＦ−ＮＣ）
で表される。
【００５５】
なお、各数値実施例において、ｄ、焦点距離ｆ（ｍｍ）、ＦナンバーＦｎｏ、半画角（度）は全て各実施例の光学系が無限遠物体に焦点を合わせた時の値である。「バックフォーカス」は、レンズ最終面（最も像側のレンズ面）から近軸像面までの光軸上の距離を空気換算長により表記したものである。「レンズ全長」は、ズームレンズの最前面（最も物体側のレンズ面）から最終面までの光軸上の距離にバックフォーカスを加えた長さである。「レンズ群」は、複数のレンズから構成される場合に限らず、１枚のレンズから構成される場合も含むものとする。
【００５６】
また、光学面が非球面の場合は、面番号の右側に、＊の符号を付している。非球面形状は、Ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ２／Ｒ）／［１＋｛１−（１＋ｋ）（ｈ／Ｒ）２｝１／２＋Ａ４×ｈ４＋Ａ６×ｈ６＋Ａ８×ｈ８＋Ａ１０×ｈ１０＋Ａ１２×ｈ１２
で表している。なお、各非球面係数における「ｅ±ＸＸ」は「×１０±ＸＸ」を意味している。前述の各条件式と数値実施例における諸数値との関係を表１に示す。
【００５７】
［数値実施例１］
単位 mm
面データ
面番号       r        d      nd        νd
1         61.653    6.43   1.55032    75.5           
2       1155.076  (可変)                             
3         32.781    1.10   1.83481    42.7           
4         15.055    8.37                             
5        -62.356    0.90   1.55032    75.5           
6         16.818    4.18   1.85478    24.8           
7         83.016    3.80                             
8        -24.903    1.00   2.05090    26.9           
9        -42.546  (可変)                             
10(絞り)    ∞       0.50                             
11         26.766    3.17   1.69680    55.5           
12       -180.403    5.17                             
13        -18.532    0.80   1.65412    39.7           
14        -79.100    1.04                             
15         27.363    6.02   1.49700    81.5           
16        -24.450    0.30                             
17*        50.011    5.22   1.61881    63.9           
18        -16.901    0.80   2.00100    29.1           
19        -27.558  (可変)                             
20         38.596    0.70   1.83481    42.7           
21         18.701  (可変)                             
22*       -18.185    1.80   1.58313    59.4           
23*       -58.608  (可変)                             
24        317.669    5.49   1.92286    20.9           
25        -45.002    1.60   1.83481    42.7           
26       -107.742  (可変)                             
像面        ∞   
非球面データ
第17面
K = 0.00000e+000  A 4=-4.77064e-005  A 6=-7.03387e-008  A 8= 9.45719e-011  A10=-9.33095e-013  A12=-4.59154e-015  
第22面
K = 0.00000e+000  A 4= 1.90579e-005  A 6=-1.16385e-007  A 8= 1.83169e-009  A10=-1.03752e-011  A12=-2.09143e-014  
第23面
K = 0.00000e+000  A 4= 3.85448e-006  A 6=-1.22574e-007  A 8= 1.15603e-009  A10=-7.76835e-012  A12= 1.22075e-014  
各種データ
ズーム比      2.75 
広角     中間     望遠
焦点距離      24.72    44.11    67.90  
Fナンバー      4.12     4.12     4.12  
半画角（度）  41.50    26.13    17.30  
像高          19.69    21.64    21.64  
レンズ全長   101.50   114.91   141.15  
BF            12.50    17.92    24.86  
d 2            0.70    10.38    25.91  
d 9           13.47     4.16     1.83  
d19            2.50     3.82     2.50  
d21           13.15    11.84    13.15  
d23            0.80     8.42    14.52  
d26           12.50    17.92    24.86  
ズームレンズ群データ
群  始面    焦点距離  
1    1     118.10  
2    3     -18.47  
3   10      19.19  
4   20     -44.17  
5   22     -45.97  
6   24      80.02  
［数値実施例２］
単位 mm
面データ
面番号       r        d      nd        νd
1          ∞       1.50                             
2         56.604    5.09   1.59282    68.6           
3        300.042  (可変)                             
4        132.928    1.15   2.05090    26.9           
5         18.521    7.53                             
6        -41.495    0.90   1.49700    81.5           
7         42.419    1.25                             
8         36.111    3.47   1.92286    20.9           
9        670.026  (可変)                             
10         27.035    2.54   1.85883    30.0           
11       -180.437    1.48                             
12         21.693    5.85   1.48749    70.2           
13        -33.770    0.70   2.00069    25.5           
14         31.881    2.54                             
15(絞り)    ∞     (可変)                             
16         17.291    0.70   1.90043    37.4           
17          9.388    6.16   1.61881    63.9           
18*       -31.274  (可変)                             
19        132.686    0.60   1.74100    52.6           
20         17.363  (可変)                             
21*       -45.424    1.80   1.53110    55.9           
22*     -6598.957  (可変)                             
23        116.299    3.50   1.92286    20.9           
24       -168.312  (可変)                             
像面        ∞   
非球面データ
第18面
K = 0.00000e+000  A 4= 3.44987e-005  A 6=-2.35349e-007  A 8= 2.95704e-009  A10=-1.16526e-010  A12= 8.76781e-013  
第21面
K = 0.00000e+000  A 4=-4.51694e-005  A 6= 1.26365e-007  A 8= 1.24055e-009  A10=-2.14786e-011  A12= 9.63499e-014  
第22面
K = 0.00000e+000  A 4=-5.11073e-005  A 6= 2.11344e-007  A 8=-7.26896e-010  A10=-1.97768e-012  A12= 1.61057e-014  
各種データ
ズーム比      4.71 
広角     中間     望遠
焦点距離      24.72    73.51   116.40  
Fナンバー      4.04     5.99     7.31  
半画角（度）  41.80    16.40    10.30  
像高          19.90    21.64    21.64  
レンズ全長   109.01   131.75   159.02  
BF            14.15    27.66    31.01  
d 3            0.70    26.43    39.45  
d 9           27.91     4.42     0.80  
d15            3.43     1.21     1.22  
d18            2.51     5.52     5.36  
d20           12.74    11.96    12.11  
d22            0.80     7.78    22.31  
d24           14.15    27.66    31.01  
ズームレンズ群データ
群  始面    焦点距離  
1    1     116.78  
2    4     -22.18  
3   10      39.32  
4   16      24.78  
5   19     -27.02  
6   21     -86.13  
7   23      74.97  
［数値実施例３]
単位 mm
面データ
面番号       r        d      nd        νd
1         60.794    5.12   1.60311    60.6           
2        540.251  (可変)                             
3         94.023    1.15   1.90366    31.3           
4         15.577    8.20                             
5        -44.302    0.90   1.48749    70.2           
6         38.054    1.23                             
7         29.650    2.91   1.92286    20.9           
8         90.077  (可変)                             
9         19.857    2.71   1.80518    25.4           
10       1806.956    2.40                             
11         16.245    3.73   1.59522    67.7           
12        -34.957    0.70   2.00069    25.5           
13         14.396    3.41                             
14(絞り)    ∞       1.00                             
15         14.310    0.70   1.83481    42.7           
16          8.746    5.79   1.58313    59.4           
17*       -28.898  (可変)                             
18        297.133    0.60   1.56384    60.7           
19         19.207  (可変)                             
20*       -58.341    1.80   1.53110    55.9           
21*         ∞     (可変)                             
22        111.997    3.77   1.84666    23.8           
23       -140.972  (可変)                             
像面        ∞   
非球面データ
第17面
K = 0.00000e+000  A 4= 3.30656e-005  A 6=-2.69644e-007  A 8= 4.13244e-009  A10=-2.06529e-010  A12= 1.91719e-012  
第20面
K = 0.00000e+000  A 4=-4.65816e-005  A 6= 5.61223e-008  A 8= 3.33907e-009  A10=-3.00761e-011  A12= 5.77510e-014  
第21面
K = 0.00000e+000  A 4=-4.90223e-005  A 6= 1.69299e-007  A 8= 8.90412e-010  A10=-1.11111e-011  A12= 2.20477e-014  
各種データ
ズーム比      4.12 
広角     中間     望遠
焦点距離      24.72    67.42   101.85  
Fナンバー      4.29     6.16     7.31  
半画角（度）  41.80    17.79    11.80  
像高          19.90    21.64    21.64  
レンズ全長   107.52   130.63   158.03  
BF            13.48    31.00    35.52  
d 2            0.70    21.58    33.94  
d 8           24.80     3.76     0.80  
d17            2.50     7.72     7.68  
d19           19.13    13.91    13.95  
d21            0.80     6.53    20.03  
d23           13.48    31.00    35.52  
ズームレンズ群データ
群  始面    焦点距離  
1    1     113.13  
2    3     -19.90  
3    9      22.77  
4   18     -36.45  
5   20    -109.85  
6   22      74.22
[数値実施例４]
単位 mm
面データ
面番号       r        d      nd        νd
1         60.474    5.85   1.49700    81.5           
2       -681.696  (可変)                             
3         41.730    1.10   2.05090    26.9           
4         16.292    8.08                             
5        -42.296    0.90   1.59522    67.7           
6         18.502    5.72   1.85478    24.8           
7        -73.854    1.74                             
8        -26.626    1.00   2.05090    26.9           
9        -48.961  (可変)                             
10(絞り)    ∞       0.50                             
11         27.935    2.20   1.72916    54.7           
12       87061.983    1.42                             
13        -24.946    0.70   1.70154    41.2           
14        -48.103    3.30                             
15         20.111    0.70   1.83400    37.2           
16         14.032    4.79   1.53775    74.7           
17        -54.203    6.06                             
18*        50.009    4.70   1.61881    63.9           
19        -17.299    0.80   2.05090    26.9           
20        -25.498    2.50                             
21        -94.397    0.70   1.90525    35.0           
22         29.850    4.79                             
23*       -44.850    1.80   1.85135    40.1           
24*     -10849.867  (可変)                             
25         83.939    2.03   1.84666    23.8           
26       9244.030    0.15                             
27        130.012    2.94   1.84666    23.8           
28        -82.622    1.50                             
29        -37.135    1.60   1.60311    60.6           
30        461.088  (可変)                             
像面        ∞   
非球面データ
第18面
K = 0.00000e+000  A 4=-4.15939e-005  A 6=-7.39851e-008  A 8=-6.80207e-010  A10= 2.30836e-011  A12=-1.37492e-013  
第23面
K = 0.00000e+000  A 4=-2.36326e-004  A 6= 9.85518e-007  A 8=-3.06037e-009  A10=-5.95740e-011  A12=-5.35489e-014  
第24面
K = 0.00000e+000  A 4=-2.05968e-004  A 6= 1.36386e-006  A 8=-7.52157e-009  A10= 6.50764e-013  A12= 7.19143e-014  
各種データ
ズーム比      3.34 
広角     中間     望遠
焦点距離      24.72    47.47    82.45  
Fナンバー      3.53     4.79     5.88  
半画角（度）  38.53    24.50    14.70  
像高          19.69    21.64    21.64  
レンズ全長   101.50   116.56   142.50  
BF            14.16    25.46    32.52  
d 2            0.70    12.43    29.49  
d 9           18.27     7.26     1.80  
d24            0.80     3.83    11.12  
d30           14.16    25.46    32.52  
ズームレンズ群データ
群  始面    焦点距離  
1    1     112.06  
2    3     -21.19  
3   10      23.85  
4   25      98.85  
[数値実施例５]
単位 mm
面データ
面番号       r        d      nd        νd
1         33.906    4.05   1.59282    68.6           
2        178.294  (可変)                             
3         68.640    0.80   2.05090    26.9           
4         11.645    5.22                             
5        -30.797    0.70   1.49700    81.5           
6         19.833    0.79                             
7         19.686    2.89   1.92286    20.9           
8        143.641  (可変)                             
9         23.677    1.61   2.05090    26.9           
10       -230.793    1.89                             
11         19.523    2.47   1.61800    63.3           
12        -19.345    0.50   2.00069    25.5           
13         25.424    2.23                             
14(絞り)    ∞     (可変)                             
15         15.087    0.50   1.83481    42.7           
16          7.584    4.64   1.61881    63.9           
17*       -16.097  (可変)                             
18       -110.079    0.50   1.61340    44.3           
19         14.834  (可変)                             
20*       -54.976    1.50   1.53110    55.9           
21*     -2568.724  (可変)                             
22         45.139    2.32   1.96300    24.1           
23        176.222  (可変)                             
像面        ∞   
非球面データ
第17面
K = 0.00000e+000  A 4= 1.15592e-004  A 6=-1.12329e-006  A 8= 7.29338e-008  A10=-3.97268e-009  A12= 5.47289e-011  
第20面
K = 0.00000e+000  A 4= 5.14039e-005  A 6=-2.27979e-006  A 8= 6.14878e-008  A10=-1.24789e-009  A12= 1.03195e-011  
第21面
K = 0.00000e+000  A 4= 1.46631e-005  A 6=-1.60734e-006  A 8= 3.28650e-008  A10=-5.34487e-010  A12= 3.62883e-012  
各種データ
ズーム比      4.39 
広角     中間     望遠
焦点距離      15.45    37.46    67.90  
Fナンバー      3.93     5.64     7.31  
半画角（度）  42.40    20.02    11.37  
像高          12.56    13.65    13.65  
レンズ全長    71.26    88.06   113.36  
BF            12.40    22.39    24.51  
d 2            0.44    13.26    23.04  
d 8           14.34     4.04     0.80  
d14            3.19     1.31     1.14  
d17            2.50     1.86     1.39  
d19            4.98     7.50     8.14  
d21            0.80     5.11    21.73  
d23           12.40    22.39    24.51  
ズームレンズ群データ
群  始面    焦点距離  
1    1      69.89  
2    3     -14.07  
3    9      30.97  
4   15      16.09  
5   18     -21.28  
6   20    -105.80  
7   22      62.47  
【００５８】
【表１】
2020170102.tif 000003
【００５９】
次に、図１６を参照して、各実施例のズームレンズ（光学系）を撮像光学系として用いたデジタルスチルカメラ（撮像装置１０）の実施例について説明する。図１６は、各実施例のズームレンズを備えた撮像装置１０の概略図である。
【００６０】
図１６において、１３はカメラ本体、１１は実施例１乃至５で説明したいずれかのズームレンズによって構成された撮影光学系である。１２はカメラ本体１３に内蔵され、撮影光学系１１によって形成された光学像を受光して光電変換するＣＣＤセンサやＣＭＯＳセンサ等の撮像素子（光電変換素子）である。カメラ本体１３はクイックターンミラーを有する所謂一眼レフカメラでも良いし、クイックターンミラーを有さない所謂ミラーレスカメラでも良い。
【００６１】
このように本発明のズームレンズをデジタルスチルカメラ等の撮像装置１０に適用することにより、高い光学性能を有する撮像装置を得ることができる。なお、各実施例のズームレンズは、ビデオカメラにも同様に適用することができる。
【００６２】
各実施例によれば、全ズーム範囲にわたり高い光学性能を有しつつ、全系が小型で軽量なズームレンズ及びそれを有する撮像装置を提供することができる。
【００６３】
以上、本発明の好ましい実施形態について説明したが、本発明はこれらの実施形態に限定されず、その要旨の範囲内で種々の変形及び変更が可能である。
【符号の説明】
【００６４】
Ｌ１  第１レンズ群
Ｌ２  第２レンズ群
ＬＲ  後続群
【図１】
2020170102.tif 000004
【図２】
2020170102.tif 000005
【図３】
2020170102.tif 000006
【図４】
2020170102.tif 000007
【図５】
2020170102.tif 000008
【図６】
2020170102.tif 000009
【図７】
2020170102.tif 000010
【図８】
2020170102.tif 000011
【図９】
2020170102.tif 000012
【図１０】
2020170102.tif 000013
【図１１】
2020170102.tif 000014
【図１２】
2020170102.tif 000015
【図１３】
2020170102.tif 000016
【図１４】
2020170102.tif 000017
【図１５】
2020170102.tif 000018
【図１６】
2020170102.tif 000019